(57)【要約】      （修正有）【課題】電力管理装置と蓄電装置との間の通信プロトコルによって蓄電装置に蓄電された電力を電力系統側に放電が可能となる管理装置及び管理方法を提供する。【解決手段】電力システム１００において、電力系統１１０の施設における蓄電装置３１０を管理するＥＭＳ３３０は、蓄電装置３１０に対して、蓄電装置３１０が放電する際の電力を設定するための放電電力設定値を通知する通信部を有する。通信部は、放電電力設定値の一部に、負荷追従で放電するか否かについて設定する。【選択図】図１
2020124022.tif 000002
【特許請求の範囲】
【請求項１】
蓄電装置を管理する電力管理装置であって、
前記蓄電装置に対して、前記蓄電装置が放電する際の電力を設定するための放電電力設定値を設定するように通知する通信部を有し、
前記通信部は、前記放電電力設定値の一部に、負荷追従で放電するか否かについて設定する、電力管理装置。
【請求項２】
蓄電装置を管理する電力管理装置であって、
前記蓄電装置に対して、運転モードを設定する運転モード設定を設定するように通知する通信部を有し、
前記通信部は、前記運転モード設定において、前記運転モードとして逆潮流を行う放電及び逆潮流を行わない放電を区別して設定する、電力管理装置。
【請求項３】
蓄電装置を管理する電力管理装置であって、
前記蓄電装置に対して、系統との接続状態を設定する系統連系状態及び運転モードを設定する運転モード設定を設定するように通知する通信部を有し、
前記通信部は、前記系統連系状態において、逆潮流を行う系統連系及び逆潮流を行わない系統連系を区別して設定し、前記運転モード設定において、放電を設定する、電力管理装置。
【請求項４】
前記通信部は、前記系統連系状態を設定するように通知した後に、前記運転モード設定を設定するように通知する、請求項３に記載の電力管理装置。
【請求項５】
前記通信部は、前記蓄電装置に対して、買電目標値を通知する、請求項２又は３に記載の電力管理装置。
【請求項６】
蓄電装置を管理する電力管理装置であって、
前記蓄電装置に対して、定格最大での放電を実施するのか、指定出力での放電を実施するのか或いは負荷追従で放電するかについて設定する指定放電状態を設定するように通知する通信部を有する、電力管理装置。
【請求項７】
電力管理装置によって制御される蓄電装置であって、
前記電力管理装置から、前記蓄電装置が放電する際の電力を設定するための放電電力設定値の通知を受信する通信部と、
前記放電電力設定値の一部に規定されている値に応じて、負荷追従で放電するか否かについて設定する制御部と、を有する、蓄電装置。
【請求項８】
電力管理装置によって制御される蓄電装置であって、
前記電力管理装置から、運転モードを設定する運転モード設定の通知を受信する通信部と、
前記運転モード設定に応じて、前記運転モードを設定する、制御部と、を有し、
前記運転モード設定は、前記運転モードとして逆潮流を行う放電及び逆潮流を行わない放電を区別して設定することができる、蓄電装置。
【請求項９】
電力管理装置によって制御される蓄電装置であって、
前記電力管理装置から、系統との接続状態を設定する系統連系状態及び運転モードを設定する運転モード設定の通知を受信する通信部と、
前記系統連系状態に応じて、系統との接続状態を設定し、前記運転モード設定に応じて、前記運転モードを設定する、制御部と、を有し、
前記系統連系状態は、逆潮流を行う系統連系及び逆潮流を行わない系統連系を区別して設定することができ、前記運転モード設定は、放電を設定することができる、蓄電装置。
【請求項１０】
前記通信部は、前記系統連系状態の通知を受信した後に、前記運転モード設定の通知を受信する、請求項９に記載の蓄電装置。
【請求項１１】
前記通信部は、前記電力管理装置から、買電目標値の通知を受信する、請求項９又は１０に記載の蓄電装置。
【請求項１２】
電力管理装置によって制御される蓄電装置であって、
前記電力管理装置から、定格最大での放電を実施するのか或いは負荷追従で放電するのかについて設定する指定放電状態の通知を受信する通信部と、
前記指定放電状態に応じて、定格最大での放電を実施するのか、指定出力での放電を実施するのか或いは負荷追従で放電するのかについて設定する、制御部と、を有する、蓄電装置。
【請求項１３】
蓄電装置を管理する電力管理方法であって、
前記蓄電装置に対して、前記蓄電装置が放電する際の電力を設定するための放電電力設定値を設定するように通知する工程を有し、
前記工程において、前記放電電力設定値の一部に、負荷追従で放電するか否かについて設定する、電力管理方法。
【請求項１４】
蓄電装置を管理する電力管理方法であって、
前記蓄電装置に対し工程を有し、
前記工程において、前記運転モード設定において、前記運転モードとして逆潮流を行う放電及び逆潮流を行わない放電を区別して設定する、電力管理方法。
【請求項１５】
蓄電装置を管理する電力管理方法であって、
前記蓄電装置に対して、系統との接続状態を設定する系統連系状態及び運転モードを設定する運転モード設定を設定するように通知する工程を有し、
前記工程において、前記系統連系状態において、逆潮流を行う系統連系及び逆潮流を行わない系統連系を区別して設定し、前記運転モード設定において、放電を設定する、電力管理方法。
【請求項１６】
蓄電装置を管理する電力管理方法であって、
前記蓄電装置に対して、定格最大での放電を実施するのか、指定出力での放電を実施するのか或いは負荷追従で放電するかについて設定する指定放電状態を設定するように通知する工程を有する、電力管理方法。
【発明の詳細な説明】
【技術分野】
【０００１】
本発明は、電力管理装置、蓄電装置及び電力管理方法に関する。
【背景技術】
【０００２】
近年、電力の需要家の施設に設けられ、複数の機器を制御する電力管理装置（ＥＭＳ：Ｅｎｅｒｇｙ  Ｍａｎａｇｅｍｅｎｔ  Ｓｙｓｔｅｍ）が注目を浴びている。かかるＥＭＳには、様々なメーカにより提供される機器を電力管理装置が制御することができるための通信プロトコルが導入されている。
【０００３】
このような通信プロトコルの１つであるＥＣＨＯＮＥＴ  Ｌｉｔｅ（登録商標）は、機器の種別ごとに機器クラスを規定し、かかる機器が有する情報や制御対象をプロパティとして機器クラスごとに規定する。
【０００４】
例えば、蓄電装置は、蓄電池クラスに属しており、蓄電池クラスに対応するプロパティは、放電電力設定値や運転モード設定や系統連系状態等を含む（例えば、非特許文献１参照）。
【先行技術文献】
【非特許文献】
【０００５】
【非特許文献１】「ＥＣＨＯＮＥＴ  ＳＰＥＣＩＦＩＣＡＴＩＯＮ  ＡＰＰＥＮＤＩＸ  ＥＣＨＯＮＥＴ機器オブジェクト詳細規定Ｒｅｌｅａｓｅ  Ｉ」、２０１９年１月１５日、インターネット＜URL: https://echonet.jp/wp/wp-content/uploads/pdf/General/Standard/Release/Release_I_jp/Appendix_Release_I.pdf＞
【発明の概要】
【発明が解決しようとする課題】
【０００６】
現状の固定価格買取制度（ＦＩＴ：Ｆｅｅｄ-ｉｎ  Ｔａｒｉｆｆ）の下では、住宅用の太陽光発電（ＰＶ：Ｐｈｏｔｏｖｏｌｔａｉｃｓ）装置で発電され蓄電装置に蓄電された電力は、電力系統側に放電することができないように規制されている。
【０００７】
一方、将来的に、住宅用の太陽光発電装置で発電され蓄電装置に蓄電された電力であっても、電力系統側に放電することができるように規制が緩和される可能性もある。
【０００８】
しかしながら、ＥＣＨＯＮＥＴ  Ｌｉｔｅ等の通信プロトコルでは、このような可能性が考慮されておらず、蓄電装置において蓄電された電力を電力系統側に放電するように設定することができないという問題点があった。
【０００９】
例えば、ＥＣＨＯＮＥＴ  Ｌｉｔｅでは、蓄電池クラス等において、蓄電された電力を電力系統側に放電するためのプロパティが設けられていないという問題点があった。
【００１０】
そこで、本発明は、上述の課題に鑑みてなされたものであり、電力管理装置と蓄電装置との間の通信プロトコルによって蓄電装置に蓄電された電力を電力系統側に放電するように設定することができる電力管理装置、蓄電装置及び電力管理方法を提供することを目的とする。
【課題を解決するための手段】
【００１１】
本発明の実施形態の第１の特徴は、蓄電装置を管理する電力管理装置であって、前記蓄電装置に対して、前記蓄電装置が放電する際の電力を設定するための放電電力設定値を設定するように通知する通信部を有し、前記通信部は、前記放電電力設定値の一部に、負荷追従で放電するか否かについて設定することを要旨とする。
【００１２】
本発明の実施形態の第２の特徴は、蓄電装置を管理する電力管理装置であって、前記蓄電装置に対して、運転モードを設定する運転モード設定を設定するように通知する通信部を有し、前記通信部は、前記運転モード設定において、前記運転モードとして逆潮流を行う放電及び逆潮流を行わない放電を区別して設定することを要旨とする。
【００１３】
本発明の実施形態の第３の特徴は、蓄電装置を管理する電力管理装置であって、前記蓄電装置に対して、系統との接続状態を設定する系統連系状態及び運転モードを設定する運転モード設定を設定するように通知する通信部を有し、前記通信部は、前記系統連系状態において、逆潮流を行う系統連系及び逆潮流を行わない系統連系を区別して設定し、前記運転モード設定において、放電を設定することを要旨とする。
【００１４】
本発明の実施形態の第４の特徴は、蓄電装置を管理する電力管理装置であって、前記蓄電装置に対して、定格最大での放電を実施するのか、指定出力での放電を実施するのか或いは負荷追従で放電するかについて設定する指定放電状態を設定するように通知する通信部を有することを要旨とする。
【００１５】
本発明の実施形態の第５の特徴は、電力管理装置によって制御される蓄電装置であって、前記電力管理装置から、前記蓄電装置が放電する際の電力を設定するための放電電力設定値の通知を受信する通信部と、前記放電電力設定値の一部に規定されている値に応じて、負荷追従で放電するか否かについて設定する制御部と、を有することを要旨とする。
【００１６】
本発明の実施形態の第６の特徴は、電力管理装置によって制御される蓄電装置であって、前記電力管理装置から、運転モードを設定する運転モード設定の通知を受信する通信部と、前記運転モード設定に応じて、前記運転モードを設定する、制御部と、を有し、前記運転モード設定は、前記運転モードとして逆潮流を行う放電及び逆潮流を行わない放電を区別して設定することができることを要旨とする。
【００１７】
本発明の実施形態の第７の特徴は、電力管理装置によって制御される蓄電装置であって、前記電力管理装置から、系統との接続状態を設定する系統連系状態及び運転モードを設定する運転モード設定の通知を受信する通信部と、前記系統連系状態に応じて、系統との接続状態を設定し、前記運転モード設定に応じて、前記運転モードを設定する、制御部と、を有し、前記系統連系状態は、逆潮流を行う系統連系及び逆潮流を行わない系統連系を区別して設定することができ、前記運転モード設定は、放電を設定することができることを要旨とする。
【００１８】
本発明の実施形態の第８の特徴は、電力管理装置によって制御される蓄電装置であって、前記電力管理装置から、定格最大での放電を実施するのか或いは負荷追従で放電するのかについて設定する指定放電状態の通知を受信する通信部と、前記指定放電状態に応じて、定格最大での放電を実施するのか、指定出力での放電を実施するのか或いは負荷追従で放電するのかについて設定する、制御部と、を有することを要旨とする。
【００１９】
本発明の実施形態の第９の特徴は、蓄電装置を管理する電力管理方法であって、前記蓄電装置に対して、前記蓄電装置が放電する際の電力を設定するための放電電力設定値を設定するように通知する工程を有し、前記工程において、前記放電電力設定値の一部に、負荷追従で放電するか否かについて設定することを要旨とする。
【００２０】
本発明の実施形態の第１０の特徴は、蓄電装置を管理する電力管理方法であって、前記蓄電装置に対し工程を有し、前記工程において、前記運転モード設定において、前記運転モードとして逆潮流を行う放電及び逆潮流を行わない放電を区別して設定することを要旨とする。
【００２１】
本発明の実施形態の第１１の特徴は、蓄電装置を管理する電力管理方法であって、前記蓄電装置に対して、系統との接続状態を設定する系統連系状態及び運転モードを設定する運転モード設定を設定するように通知する工程を有し、前記工程において、前記系統連系状態において、逆潮流を行う系統連系及び逆潮流を行わない系統連系を区別して設定し、前記運転モード設定において、放電を設定することを要旨とする。
【００２２】
本発明の実施形態の第１２の特徴は、蓄電装置を管理する電力管理方法であって、前記蓄電装置に対して、定格最大での放電を実施するのか、指定出力での放電を実施するのか或いは負荷追従で放電するかについて設定する指定放電状態を設定するように通知する工程を有することを要旨とする。
【発明の効果】
【００２３】
本発明の実施形態によれば、電力管理装置と蓄電装置との間の通信プロトコルによって蓄電装置に蓄電された電力を電力系統側に放電するように設定することができる電力管理装置、蓄電装置及び電力管理方法を提供することができる。
【図面の簡単な説明】
【００２４】
【図１】図１は、一実施形態に係る電力システム１００の全体構成の一例を示す図である。
【図２】図２は、一実施形態に係る電力管理サーバ２００を示す図である。
【図３】図３は、一実施形態に係る設備管理サーバ４００を示す図である。
【図４】図４は、一実施形態に係るＥＭＳ３３０を示す図である。
【図５】図５は、一実施形態に係る電力システム１００で用いられるＥＣＨＯＮＥＴ  Ｌｉｔｅの蓄電池クラスの一例を示す図である。
【図６】図６は、一実施形態に係る蓄電装置３１０を示す図である。
【図７】図７は、一実施形態に係る電力システム１００で用いられるＥＣＨＯＮＥＴ  Ｌｉｔｅの蓄電池クラスの一例を示す図である。
【図８】図８は、一実施形態に係る電力システム１００で用いられるＥＣＨＯＮＥＴ  Ｌｉｔｅの蓄電池クラスの一例を示す図である。
【図９】図９は、一実施形態に係る電力システム１００で用いられるＥＣＨＯＮＥＴ  Ｌｉｔｅの蓄電池クラスの一例を示す図である。
【発明を実施するための形態】
【００２５】
以下、本発明の実施形態に係る制御システムについて図面を参照しながら説明する。なお、以下の図面の記載において、同一又は類似の部分には、同一又は類似の符号を付している。
【００２６】
（第１実施形態）
以下、図１〜図６を参照して、本発明の第１実施形態について説明する。図１は、本実施形態に係る電力システム１００の構成の一例を示す図である。
【００２７】
図１に示すように、電力システム１００は、電力管理サーバ２００と、施設３００と、設備管理サーバ４００と、所定サーバ５００とを有する。図１では、施設３００として、施設３００Ａ〜施設３００Ｃが例示されている。ここで、電力管理サーバ２００及び設備管理サーバ４００は、別々のサーバであってもよいし、一体となっていてもよい。
【００２８】
各施設３００は、電力系統１１０に接続される。１つの施設３００は、１つの需要家に対応する。
【００２９】
以下において、電力系統１１０から施設３００への電力の流れを潮流と称し、施設３００から電力系統１１０への電力の流れを逆潮流と称する。電力系統１１０は、電力会社から切り離された地域内の需要家間で電力融通する場合における需要家外の送電網であってもよい。
【００３０】
電力管理サーバ２００は、分散電源（例えば、後述する蓄電装置３１０）を制御するサーバである。電力管理サーバ２００は、施設３００に設けられるＥＭＳ３３０に対して、施設３００に設けられる蓄電装置３１０に対する制御を指示するメッセージを送信する。例えば、電力管理サーバ２００は、潮流の制御を要求する潮流制御メッセージ（例えば、ＤＲ：Ｄｅｍａｎｄ  Ｒｅｓｐｏｎｓｅ）を送信してもよく、逆潮流の制御を要求する逆潮流制御メッセージを送信してもよい。例えば、電力管理サーバ２００は、発電事業者、送配電事業者、小売事業者等の電力事業者によって管理される。
【００３１】
図２に示すように、電力管理サーバ２００は、データベース２１０と、通信部２２０と、制御部２３０とを有する。電力管理サーバ２００は、ＶＴＮ（Ｖｉｒｔｕａｌ  Ｔｏｐ  Ｎｏｄｅ）の一例である。
【００３２】
データベース２１０は、不揮発性メモリ又は/及びＨＤＤ等の記憶媒体によって構成されており、電力管理サーバ２００によって管理される施設３００に関するデータを記憶する。電力管理サーバ２００によって管理される施設３００は、電力事業者と契約を有する施設３００であってもよい。例えば、施設３００に関するデータは、電力系統１１０から施設３００に供給される需要電力であってもよい。施設３００に関するデータは、施設３００に設けられる分散電源３１０の種別、施設３００に設けられる分散電源３１０のスペック等であってもよい。スペックは、分散電源３１０の定格発電電力（Ｗ）及び最大出力電力（Ｗ）等であってもよい。
【００３３】
通信部２２０は、通信モジュールによって構成されており、所定サーバ５００を介してＥＭＳ３３０と通信を行う。通信部２２０は、所定サーバ５００との間で、第１通信プロトコルに従って通信を行う。例えば、第１通信プロトコルとしては、Ｏｐｅｎ  ＡＤＲ（Ａｕｔｏｍａｔｅｄ  Ｄｅｍａｎｄ  Ｒｅｓｐｏｎｓｅ）２.０ｂに準拠する通信プロトコル、或いは、独自の専用通信プロトコルを用いることができる。
【００３４】
制御部２３０は、メモリ及びＣＰＵ等を含む制御回路によって構成されており、電力管理サーバ２００に設けられる各構成を制御する。
【００３５】
設備管理サーバ４００は、分散電源（例えば、後述する蓄電装置３１０）を監視するサーバである。設備管理サーバ４００は、施設３００に設けられるＥＭＳ３３０に対して、施設３００に設けられる分散電源３１０のメンテナンスを行うためのメッセージを送信する。例えば、メンテナンスは、設備の劣化状態を調査する点検、点検時に軽微な手入れを行う保守、設備の不具合を処置する修繕、既存の設備を新しい設備に交換する取替等を含む。なお、メンテナンスは、蓄電装置３１０が停止している間に行われてもよいし、蓄電装置３１０が運転している間に行われてもよい。
【００３６】
図３に示すように、設備管理サーバ４００は、データベース４１０と、通信部４２０と、制御部４３０とを有する。
【００３７】
データベース４１０は、不揮発性メモリ又は/及びＨＤＤ等の記憶媒体によって構成されており、複数の施設３００に関する情報を管理する。データベース４１０は、複数の施設３００のそれぞれに設けられる設備の基本情報を記憶してもよい。データベース４１０は、例えば、施設名、施設ＩＤ、設備名、設備ＩＤ、導入年、経年及び耐用年数を対応付けて記憶する。
【００３８】
通信部４２０は、通信モジュールによって構成されており、所定サーバ５００を介してＥＭＳ３３０と通信を行う。通信部４２０は、所定サーバ５００との間で、第１通信プロトコルに従って通信を行う。例えば、第１通信プロトコルとしては、Ｏｐｅｎ  ＡＤＲ  ２.０ｂに準拠する通信プロトコル、或いは、独自の専用通信プロトコルを用いることができる。
【００３９】
制御部４３０は、メモリ及びＣＰＵ等を含む制御回路によって構成されており、設備管理サーバ４００に設けられる各構成を制御する。
【００４０】
所定サーバ５００は、電力管理サーバ２００及び設備管理サーバ４００と施設３００との間の通信を中継するサーバである。例えば、所定サーバ５００は、リソースアグリゲータによって管理される。リソースアグリゲータは、ＶＰＰ（Ｖｉｒｔｕａｌ  Ｐｏｗｅｒ  Ｐｌａｎｔ）において、発電事業者、送配電事業者及び小売事業者などに逆潮流の電力を提供する電力事業者である。リソースアグリゲータは、リソースアグリゲータによって管理される施設の消費電力の削減によって余剰電力（ネガワット）を生み出す電力事業者であってもよい。このような余剰電力は、発電電力と見做されてもよい。リソースアグリゲータは、リソースアグリゲータによって管理される施設の消費電力の増大（例えば、蓄電装置の充電量の増大）によって過剰な電力を吸収する電力事業者であってもよい。
【００４１】
図１に示すように、施設３００は、分散電源（具体的には、蓄電装置３１０）と、負荷機器３２０と、ＥＭＳ３３０とを有する。
【００４２】
分散電源は、燃料を用いて発電を行う燃料電池装置であってもよい。燃料電池装置は、燃料を用いて発電を行う装置である。例えば、燃料電池装置は、固体酸化物型燃料電池（ＳＯＦＣ：Ｓｏｌｉｄ  Ｏｘｉｄｅ  Ｆｕｅｌ  Ｃｅｌｌ）であってもよく、固体高分子型燃料電池（ＰＥＦＣ：Ｐｏｌｙｍｅｒ  Ｅｌｅｃｔｒｏｌｙｔｅ  Ｆｕｅｌ  Ｃｅｌｌ）であってもよく、リン酸型燃料電池（ＰＡＦＣ：Ｐｈｏｓｐｈｏｒｉｃ  Ａｃｉｄ  Ｆｕｅｌ  Ｃｅｌｌ）であってもよく、溶融炭酸塩型燃料電池（ＭＣＦＣ：Ｍｏｌｔｅｎ  Ｃａｒｂｏｎａｔｅ  Ｆｕｅｌ  Ｃｅｌｌ）であってもよい。分散電源は、太陽光、風力、水力、地熱などの自然エネルギーを用いて発電を行う発電装置であってもよい。なお、本実施形態では、分散電源は、電力の充電及び電力の放電を行う蓄電装置３１０であるものとして説明を行う。
【００４３】
蓄電装置３１０は、ＥＭＳ３３０の制御下で充電及び放電を行う装置である。例えば、蓄電装置１１０は、リチウムイオン蓄電装置、鉛蓄電装置又はニッケル・水素蓄電装置等である。
【００４４】
なお、蓄電装置３１０が放電する電力は、施設３００内の負荷機器に供給されてもよいし、電力系統１０に供給されてもよい。また、本実施形態において、発電装置によって発電された電力を売電し、施設３００内の負荷機器３２０を蓄電装置３１０の放電により賄う「押し上げモード」にて運用されてもよい。蓄電装置３１０は、例えば、電力系統１１０によって供給される電力或いは発電装置の余剰電力を充電することができる。
【００４５】
負荷機器３２０は、電力を消費する機器である。例えば、負荷機器３２０は、空調機器、照明機器、給湯機器、ＡＶ（Ａｕｄｉｏ  Ｖｉｓｕａｌ）機器、電気自動車及び充放電器等である。
【００４６】
ＥＭＳ３３０は、施設３００の電力を管理する電力管理装置である。ＥＭＳ３３０は、蓄電装置３１０及び負荷機器３２０の動作状態を制御してもよい。ＥＭＳ３３０は、ＶＥＮ（Ｖｉｒｔｕａｌ  Ｅｎｄ  Ｎｏｄｅ）の一例である。
【００４７】
図４に示すように、ＥＭＳ３３０は、通信部３３１と、制御部３３２とを有する。
【００４８】
通信部３３１は、通信モジュールによって構成されており、所定サーバ５００、蓄電装置３１０及び負荷装置３２０と通信を行う。通信部３３１は、所定サーバ５００との間で、第１通信プロトコルに従って通信を行う。例えば、第１通信プロトコルとしては、Ｏｐｅｎ  ＡＤＲ  ２.０ｂに準拠する通信プロトコル、或いは、独自の専用通信プロトコルを用いることができる。一方、通信部３３１は、蓄電装置３１０及び負荷装置３２０との間で、第２通信プロトコルに従って通信を行う。例えば、第２通信プロトコルは、ＥＣＨＯＮＥＴ  Ｌｉｔｅに準拠する通信プロトコル、ＳＥＰ（Ｓｍａｒｔ  Ｅｎｅｒｇｙ  Ｐｒｏｆｉｌｅ）２．０、ＫＮＸ、或いは、独自の専用通信プロトコルを用いることができる。
【００４９】
通信部３３１は、蓄電装置３１０に対して、蓄電装置３１０が放電する際の電力を設定するための放電電力設定値を設定するように通知する。ここで、通信部３１１は、かかる放電電力設定値の一部に、負荷追従で放電するか否か（すなわち、逆潮流無しであるか否か）について設定する。
【００５０】
例えば、第２通信プロトコルとして、ＥＣＨＯＮＥＴ  Ｌｉｔｅが用いられている場合、通信部３３１は、蓄電池クラスの放電電力設定値プロパティの「Ｓｅｔ」（Ｓｅｔ命令）（図５参照）を用いて、蓄電装置３１０に対して、上述の放電電力設定値を設定するように通知する。
【００５１】
図５に示す蓄電池クラスの放電電力設定値プロパティは、既存の放電電力設定値プロパティに対して、プロパティ内容に「負荷追随で放電するか否か（逆潮流無しであるか否か）」について規定する」という点を新たに規定し、値域に「０ｘＦＦＦＦＦＦＦＦ：負荷追従で放電（逆潮流無し）」という点を新たに規定したものである。なお、かかる「負荷追従で放電（逆潮流無し）」を示す値は、「０ｘＦＦＦＦＦＦＦＦ」でなくてもよく、例えば、値域の最大値や、定格出力よりも大きい値等であってもよい。
【００５２】
図５に示す蓄電池クラスの放電電力設定値プロパティは、蓄電装置３１０からの情報の取得のための「Ｇｅｔ」だけでなく、蓄電装置３１０の状態を通知するための「ＩＮＦ」や、蓄電装置３１０に対する設定のための「Ｓｅｔ」としても使用され得るように新たに規定したものである。
【００５３】
制御部３３２は、施設３００内において、蓄電装置３１０等の分散電源及び負荷機器３２０の動作状態を制御する。
【００５４】
図６に示すように、蓄電装置３１０は、通信部３１１と、制御部３１２とを有する。
【００５５】
通信部３１１は、通信モジュールによって構成されており、ＥＭＳ３３０と通信を行う。通信部３１１は、上述したように、第２プロトコルに従って通信を行う。
【００５６】
通信部３１１は、ＥＭＳ３３０から、蓄電装置３１０が放電する際の電力を設定するための放電電力設定値の通知を受信する。例えば、第２通信プロトコルとして、ＥＣＨＯＮＥＴ  Ｌｉｔｅが用いられている場合、通信部３１１は、ＥＭＳ３３０によって送信された蓄電池クラスの放電電力設定値プロパティの「Ｓｅｔ」（図５参照）から、上述の放電電力設定値を取得する。
【００５７】
制御部３１２は、ＥＭＳ３３０からの指示に応じて、蓄電装置３１０における動作状態（蓄電や放電等）を制御する。
【００５８】
制御部３１２は、通信部３１２によって取得された放電電力設定値の一部に規定されている値に応じて、蓄電装置３１０において負荷追従で放電するか否かについて設定する。
【００５９】
例えば、第２通信プロトコルとして、ＥＣＨＯＮＥＴ  Ｌｉｔｅが用いられている場合、制御部３１２は、蓄電池クラスの放電電力設定値プロパティの値域内の「０ｘＦＦＦＦＦＦＦ」に規定されている値に基づいて、蓄電装置３１０において負荷追従で放電するか否かについて設定する。ここで、制御部３１２は、蓄電池クラスの放電電力設定値プロパティの値域内の「０ｘＦＦＦＦＦＦＦ」に値が設定されていない場合には、蓄電装置３１０において負荷追従で放電すると設定し、蓄電池クラスの放電電力設定値プロパティの値域内の「０ｘＦＦＦＦＦＦＦ」に値が設定されている場合には、蓄電装置３１０において負荷追従で放電しないと設定する。
【００６０】
なお、本実施形態では、ＥＭＳ３３０が施設３００に設けられるケースについて記載されているが、本発明は、かかるケースに限定されず、ＥＭＳ３３０が所定サーバ５００に設けられるケースについても適用可能である。かかるケースでは、所定サーバ５００と蓄電装置３１０との間で、例えば、ＥＣＨＯＮＥＴ  Ｌｉｔｅに従って通信が行われる。
【００６１】
本実施形態によれば、既存の通信プロトコルに対する修正を最小限に抑えつつ、ＥＭＳ３３０と蓄電装置３１０との間の通信プロトコルによって蓄電装置３１０に蓄電された電力を電力系統１１０側に放電するように設定することができる。
【００６２】
（第２実施形態）
以下、図７を参照して、本発明の第２実施形態について、上述の第１実施形態との相違点に着目して説明する。
【００６３】
ＥＭＳ３３０の通信部３３１は、蓄電装置３１０に対して、運転モードを設定する運転モード設定を設定するように通知する。ここで、通信部３３１は、かかる運転モード設定において、運転モードとして逆潮流を行う放電及び逆潮流を行わない放電を区別して設定する。
【００６４】
例えば、第２通信プロトコルとして、ＥＣＨＯＮＥＴ  Ｌｉｔｅが用いられている場合、通信部３３１は、蓄電池クラスの運転モード設定プロパティの「Ｓｅｔ」（図７参照）を用いて、蓄電装置３１０に対して、上述の運転モードを設定するように通知する。
【００６５】
ここで、図７に示す蓄電池クラスの運転モード設定プロパティは、かかる運転モードとして、急速充電、充電、放電（逆潮流無し）、待機、テスト、自動、再起動、実効容量再計算処理、放電（逆潮流あり）のいずれかを示す。
【００６６】
すなわち、図７に示す蓄電池クラスの運転モード設定プロパティは、既存の蓄電池クラスの運転モード設定プロパティに対して、放電（逆潮流無し）及び放電（逆潮流あり）を新たに規定したものである。
【００６７】
具体的には、蓄電池クラスの運転モード設定プロパティにおいて、既存の蓄電池クラスの運転モード設定プロパティにおける「放電」を「放電（逆潮流無し）」と読み替え、「放電（逆潮流あり）」を新規に追加してもよいし、「放電（逆潮流あり）」及び「放電（逆潮流無し）の２つを新規に追加してもよい。
【００６８】
同様に、図７に示す蓄電池クラスの運転動作状態プロパティは、かかる運転動作状態として、急速充電、充電、放電（逆潮流無し）、待機、テスト、自動、再起動、実効容量再計算処理、放電（逆潮流あり）のいずれかを示す。
【００６９】
すなわち、図７に示す蓄電池クラスの運転動作状態プロパティは、既存の蓄電池クラスの運転動作状態プロパティに対して、放電（逆潮流無し）及び放電（逆潮流あり）を新たに規定したものである。
【００７０】
蓄電装置３１０の通信部３１１は、ＥＭＳ３３０から、運転モードを設定する運転モード設定の通知を受信する。例えば、第２通信プロトコルとして、ＥＣＨＯＮＥＴ  Ｌｉｔｅが用いられている場合、通信部３１１は、ＥＭＳ３３０によって送信された蓄電池クラスの運転モード設定プロパティの「Ｓｅｔ」（図７参照）から、上述の運転モード設定を取得する。
【００７１】
また、例えば、第２通信プロトコルとして、ＥＣＨＯＮＥＴ  Ｌｉｔｅが用いられている場合、通信部３１１は、ＥＭＳ３３０によって送信された運転動作状態プロパティの「Ｇｅｔ」（図７参照）に基づいて、ＥＭＳ３３０に対して、蓄電装置３１０の運転動作状態を通知する。
【００７２】
蓄電装置３１０の制御部３１２は、通信部３１１によって取得された運転モード設定に応じて、蓄電装置３１０の運転モードを設定する。
【００７３】
例えば、第２通信プロトコルとして、ＥＣＨＯＮＥＴ  Ｌｉｔｅが用いられている場合、制御部３１２は、蓄電池クラスの運転モード設定の値域内において「０ｘ４３」が設定されていた場合には、運転モードとして逆潮流を行わない放電を設定し、蓄電池クラスの運転モード設定の値域内において「０ｘ４０」が設定されていた場合には、運転モードとして逆潮流を行う放電を設定する。なお、このように規定することで、既存のＥＣＨＯＮＥＴ  Ｌｉｔｅとの互換性を保つことができる。
【００７４】
本実施形態によれば、既存の通信プロトコルに対する修正を最小限に抑えつつ、ＥＭＳ３３０と蓄電装置３１０との間の通信プロトコルによって蓄電装置３１０に蓄電された電力を電力系統１１０側に放電するように設定することができる。
【００７５】
（第３実施形態）
以下、図８を参照して、本発明の第３実施形態について、上述の第１実施形態及び第２実施形態との相違点に着目して説明する。
【００７６】
ＥＭＳ３３０の通信部３３１は、蓄電装置３１０に対して、電力系統１１０との接続状態を設定する系統連系状態及び運転モードを設定する運転モード設定を設定するように通知する。
【００７７】
ここで、通信部３３１は、上述の系統連系状態において、逆潮流を行う系統連系及び逆潮流を行わない系統連系を区別して設定し、上述の運転モード設定において、放電を設定する。
【００７８】
例えば、第２通信プロトコルとして、ＥＣＨＯＮＥＴ  Ｌｉｔｅが用いられている場合、通信部３３１は、蓄電池クラスの系統連系状態プロパティの「Ｓｅｔ」の「Ｓｅｔ」（図８参照）を用いて、蓄電装置３１０に対して、上述の系統連系状態を設定するように通知し、蓄電池クラスの運転モード設定プロパティの「Ｓｅｔ」（図８参照）を用いて、蓄電装置３１０に対して、上述の運転モードを設定するように通知する。
【００７９】
ここで、図８に示す蓄電池クラスの運転モード設定プロパティは、既存の運転モード設定プロパティと同様に、かかる運転モードとして、急速充電、充電、放電、待機、テスト、自動、再起動、実効容量再計算処理、その他のいずれかを示す。すなわち、図８に示す蓄電池クラスの運転モード設定プロパティは、既存の蓄電池クラスの運転モード設定プロパティと同一である。
【００８０】
また、図８に示す蓄電池クラスの系統連系状態プロパティは、蓄電装置３１０からの情報の取得のための「Ｇｅｔ」だけでなく、蓄電装置３１０の状態を通知するための「ＩＮＦ」や、蓄電装置３１０に対する設定のための「Ｓｅｔ」としても使用され得るように新たに規定したものである。
【００８１】
なお、通信部３３１は、蓄電装置３１０に対して、上述の系統連系状態を設定するように通知した後に、上述の運転モード設定を設定するように通知してもよいし、上述の系統連系状態及び運転モード設定を設定するように同時に通知してもよい。
【００８２】
例えば、第２通信プロトコルとして、ＥＣＨＯＮＥＴ  Ｌｉｔｅが用いられている場合、通信部３３１は、蓄電池クラスの系統連系状態プロパティ（図８参照）の「Ｓｅｔ」を用いて、蓄電装置３１０に対して、上述の系統連系状態を設定するように通知し、蓄電池クラスの運転モード設定プロパティの「Ｓｅｔ」（図８参照）を用いて、蓄電装置３１０に対して、上述の運転モードを設定するように通知する。
【００８３】
例えば、第２通信プロトコルとして、ＥＣＨＯＮＥＴ  Ｌｉｔｅが用いられている場合、通信部３３１は、蓄電池クラスの系統連系状態プロパティの「Ｓｅｔ」及び蓄電池クラスの運転モード設定プロパティの「Ｓｅｔ」を同時に送信してもよい。
【００８４】
或いは、第２通信プロトコルとして、ＥＣＨＯＮＥＴ  Ｌｉｔｅが用いられている場合、通信部３３１は、蓄電池クラスの系統連系状態プロパティの「Ｓｅｔ」を送信した後に、蓄電池クラスの運転モード設定プロパティの「Ｓｅｔ」を送信してもよい。
【００８５】
蓄電装置３１０の通信部３１１は、ＥＭＳ３３０から、上述の系統連系状態及び運転モード設定の通知を受信する。例えば、第２通信プロトコルとして、ＥＣＨＯＮＥＴ  Ｌｉｔｅが用いられている場合、通信部３１１は、ＥＭＳ３３０によって送信された系統連系状態プロパティの「Ｓｅｔ」（図８参照）から、上述の系統連系状態を取得し、ＥＭＳ３３０によって送信された蓄電池クラスの運転モード設定プロパティの「Ｓｅｔ」（図８参照）から、上述の運転モード設定を取得する。
【００８６】
ここで、通信部３１１は、上述の系統連系状態の通知を受信した後に、上述の運転モード設定の通知を受信してもよいし、上述の系統連系状態の通知及び運転モード設定の通知を同時に受信してもよい。
【００８７】
蓄電装置３１０の制御部３１２は、通信部３１１によって取得された系統連系状態に応じて、蓄電装置３１０の電力系統１１０との接続状態を設定し、通信部３１１によって取得された運転モード設定に応じて、蓄電装置３１０の運転モードを設定する。
【００８８】
例えば、第２通信プロトコルとして、ＥＣＨＯＮＥＴ  Ｌｉｔｅが用いられている場合、制御部３１２は、蓄電池クラスの系統連系状態プロパティの値域内において「０ｘ００」が設定されており、蓄電池クラスの運転モード設定の値域内において「０ｘ４３」が設定されていた場合には、運転モードとして逆潮流を行う放電を設定し、蓄電池クラスの系統連系状態プロパティの値域内において「０ｘ０２」が設定されており、蓄電池クラスの運転モード設定の値域内において「０ｘ４３」が設定されていた場合には、運転モードとして逆潮流を行わない放電を設定する。
【００８９】
本実施形態によれば、既存の通信プロトコルに対する修正を最小限に抑えつつ、ＥＭＳ３３０と蓄電装置３１０との間の通信プロトコルによって蓄電装置３１０に蓄電された電力を電力系統１１０側に放電するように設定することができる。
【００９０】
（第４実施形態）
以下、図９を参照して、本発明の第４実施形態について、上述の第１実施形態〜第３実施形態との相違点に着目して説明する。
【００９１】
ＥＭＳ３３０の通信部３３１は、蓄電装置３１０に対して、定格最大での放電を実施するのか、指定出力での放電を実施するのか或いは負荷追従で放電するかについて設定する指定放電状態を設定するように通知する。ここで、かかる指定電力は、蓄電池クラスの放電電力設定値プロパティの「Ｓｅｔ」に設定されるものとする。
【００９２】
例えば、第２通信プロトコルとして、ＥＣＨＯＮＥＴ  Ｌｉｔｅが用いられている場合、通信部３３１は、蓄電池クラスの指定放電状態プロパティの「Ｓｅｔ」（図９参照）を用いて、蓄電装置３１０に対して、上述の指定放電状態を設定するように通知する。なお、かかる蓄電池クラスの指定放電状態プロパティは、既存のＥＣＨＯＮＥＴ  Ｌｉｔｅで規定されていないプロパティである。図９に示す蓄電池クラスの指定放電状態プロパティの内容は、蓄電装置３１０の放電時の放電方法を設定し、設定状態を取得するものである。
【００９３】
蓄電装置３１０の通信部３１１は、ＥＭＳ３３０から、上述の指定放電状態の通知を受信する。例えば、第２通信プロトコルとして、ＥＣＨＯＮＥＴ  Ｌｉｔｅが用いられている場合、通信部３１１は、蓄電池クラスの指定放電状態プロパティ（図９参照）から、上述の指定放電状態を取得する。
【００９４】
蓄電装置３１０の制御部３１２は、通信部３１１によって取得された指定放電状態に応じて、定格最大での放電を実施するのか或いは負荷追従で放電するのかについて設定する。
【００９５】
例えば、第２通信プロトコルとして、ＥＣＨＯＮＥＴ  Ｌｉｔｅが用いられている場合、制御部３１２は、蓄電池クラスの指定放電状態の値域内において「０ｘ４１」が設定されていた場合には、定格最大（或いは、指定出力）での放電を実施するように設定し、蓄電池クラスの指定放電状態の値域内において「０ｘ４２」が設定されていた場合には、負荷追従で放電するように設定する。
【００９６】
本実施形態によれば、既存の通信プロトコルを活用しつつ、ＥＭＳ３３０と蓄電装置３１０との間の通信プロトコルによって蓄電装置３１０に蓄電された電力を電力系統１１０側に放電するように設定することができる。
【００９７】
（変更例）
上述の第２の実施形態第３の実施形態において、ＥＭＳ３３０の通信部３３１は、蓄電装置３１０に対して、逆潮流を防止するための買電目標値を通知してもよい。
【００９８】
ここで、通信部３３１は、買電目標値として、逆潮流を行わない放電を行うように設定されている場合の負荷電力と放電量との間のマージンを通知してもよい。例えば、通信部３３１は、かかる買電目標値として、０％や５％といった割合を通知してもよいし、０Ｗや１００Ｗといった電力値を通知してもよい。
【００９９】
蓄電装置３１０の制御部３１２は、逆潮流を行わない放電を行うように設定されている場合、上述の買電目標値として通知されたマージンに基づいて蓄電装置３１０における放電を制御する。
【符号の説明】
【０１００】
１００…電力システム
２００…電力管理サーバ
２１０、４１０…データベース
２２０、３１１、３３１、４２０…通信部
２３０、３１２、３３２、４３０…制御部
３００…施設
３１０…蓄電装置
３２０…負荷機器
３３０…ＥＭＳ
４００…設備管理サーバ
５００…所定サーバ
【図１】
2020124022.tif 000003
【図２】
2020124022.tif 000004
【図３】
2020124022.tif 000005
【図４】
2020124022.tif 000006
【図５】
2020124022.tif 000007
【図６】
2020124022.tif 000008
【図７】
2020124022.tif 000009
【図８】
2020124022.tif 000010
【図９】
2020124022.tif 000011